(57)【要約】  本発明は、錠ハウジングと、錠ハウジング内に設けられた錠シリンダとを備える鍵交換自在型錠に関する。錠シリンダは、錠シリンダ用のシェル、鍵を内部に挿入することができる鍵穴、及びシェルに取り付けられたロッキングブロックを有する。摺動ブロックと歯付き部材が、シェル内に設けられている。ロッキングブロックは、摺動ブロックに当接している。幾つかの歯付きスライドが、摺動ブロック内に摺動可能に設けられている。ロッキングブロックは、２つの動作位置に位置することができる。第１動作位置では、ロッキングブロックはブロック溝内に保持されないで、歯付き部材の歯が、歯付きスライドの歯と噛み合う。第２動作位置では、ロッキングブロックがブロック溝内に保持されて、歯付き部材の歯が、歯付きスライドの歯から離脱する。
2007515578.tif 000002
【特許請求の範囲】
【請求項１】
錠ハウジング（９）と、
錠ハウジング（９）内に設けられた錠シリンダ（２）であって、錠シリンダ用のシェル（１２）、シェル（１２）に設けられ、鍵（８）を内部に挿入することができる鍵穴（１１）、及びシェル（１２）に摺動可能に取り付けられたロッキングブロック（１）を有する錠シリンダ（２）と、
を備える鍵交換自在型錠において、
摺動ブロック（６）が、シェル（１２）内に摺動可能に設けられており、ロッキングブロック（１）は、摺動ブロック（６）に当接しており、歯付きスライド（４）が、摺動ブロック（６）内に摺動可能に設けられ、ブロック溝（１５）が設けられた歯付き部材（３）が、シェル（１２）内に摺動可能に配置されており、また、
ロッキングブロック（１）は、２つの異なった動作位置に位置することができ、第１動作位置では、ロッキングブロック（１）はブロック溝（１５）内に保持されずに、歯付き部材（３）の歯が、歯付きスライド（４）の歯と噛み合い、第２動作位置では、ロッキングブロック（１）はブロック溝（１５）内に保持されて、歯付き部材（３）の前記歯が、歯付きスライド（４）の前記歯から離脱する、鍵交換自在型錠。
【請求項２】
ばね（７）が、摺動ブロック（６）とシェル（１２）との間に設けられている、請求項１に記載の鍵交換自在型錠。
【請求項３】
圧縮ばね（５）が、歯付きスライド（４）と摺動ブロック（６）との間に設けられている、請求項１に記載の鍵交換自在型錠。
【請求項４】
摺動ブロック（６）の摺動方向は、歯付き部材（３）の摺動方向に対して垂直である、請求項１に記載の鍵交換自在型錠。
【請求項５】
接触部材（１６）が、歯付きスライド（４）に固定され、且つ鍵穴（１１）内に位置する、請求項１に記載の鍵交換自在型錠。
【請求項６】
ロッキング溝（１７）が、錠ハウジング（９）に設けられており、ロッキングブロック（１）が第１動作位置にあるとき、ロッキングブロック（１）は前記ロッキング溝内にはまり、ロッキング溝（１７）の各側面にガイド斜面（１８）が設けられている、請求項１に記載の鍵交換自在型錠。
【発明の詳細な説明】
【技術分野】
【０００１】
本発明は、鍵交換自在型錠に関する。
【背景技術】
【０００２】
従来の錠は、錠ハウジングと、錠ハウジング内に設けられた錠シリンダとを有する。錠シリンダは、錠シリンダ用のシェルと、シェル内に設けられ、鍵を内部に挿入することができる鍵穴と、シェルに摺動可能に取り付けられたロッキングブロックとを有する。一般的に、１つの鍵が１つの錠だけを開錠できる。したがって、人々は異なった錠に対応するさまざまな鍵の１群を保持しなければならず、鍵群から特定の錠に対応した鍵を見つけ出すことは不便である。鍵群を紛失するか、又は犯意を持って他人が鍵群を複製した場合、その鍵群に対応する錠のすべてを取り替えなければならず、よって、そうすることは非常に不都合である。したがって、従来の錠では、元の鍵を紛失した後、それらを新しい鍵とともに使用することは不可能である。
【発明の開示】
【発明が解決しようとする課題】
【０００３】
本発明の目的は、錠の鍵を取り替えることができるようにした鍵交換自在型錠を提供することである。
【課題を解決するための手段】
【０００４】
上記目的を達成するために、本発明は以下のような鍵交換自在型錠を提供する。鍵交換自在型錠は、錠ハウジングと、錠ハウジング内に設けられた錠シリンダとを備える。錠シリンダは、シェル、シェルに設けられ、鍵を内部に挿入することができる鍵穴、及びシェルに摺動可能に取り付けられたロッキングブロックを有する。摺動ブロックが、シェル内に摺動可能に設けられている。幾つかの歯付きスライドが、摺動ブロック内に摺動可能に設けられている。歯付き部材が、シェル内に摺動可能に配置されている。歯付き部材にはブロック溝が設けられている。ロッキングブロックは、２つの動作位置に位置することができる。第１動作位置では、ロッキングブロックはブロック溝内に保持されないで、歯付き部材の歯が、歯付きスライドの歯と噛み合う。第２動作位置では、ロッキングブロックがブロック溝内に保持されて、歯付き部材の歯が、歯付きスライドの歯から離脱する。
【０００５】
上記技術的解決策により、本発明の鍵交換自在型錠は従来技術と比べて有利となる。錠シリンダ内の歯の噛み合いを鍵によって変更することができるので、錠の鍵を交換し、それにより、新しい鍵を旧い鍵の代わりに使用し、旧い鍵を無効にすることができる。したがって、鍵を紛失するか、又は他人が複製した後、錠シリンダを取り替えることなく、新しい鍵を代わりに使用するだけでよい。
【発明を実施するための最良の形態】
【０００６】
図１〜図３は、錠ハウジング９と、錠ハウジング９内に設けられた錠シリンダ２とを備える鍵交換自在型錠を示す。錠シリンダ２は、錠シリンダ用のシェル１２、シェル１２に設けられ、鍵８を内部に挿入することができる鍵穴１１、及びシェル１２に摺動可能に取り付けられたロッキングブロック１を有する。摺動ブロック６が、シェル１２内に摺動可能に設けられている。ロッキングブロック１は、摺動ブロック６に当接している。幾つかのばね７が、摺動ブロック６とシェル１２との間に設けられている。幾つかの歯付きスライド４が、摺動ブロック６内に摺動可能に設けられている。各歯付きスライド４と摺動ブロック６との間に圧縮ばね５が配置されている。鍵穴１１内に位置する接触部材１６が、歯付きスライド４に固定されている。歯付き部材３が、シェル１２内に摺動可能に配置されている。歯付き部材３にはブロック溝１５が設けられている。摺動ブロック６の摺動方向は、歯付きスライド４の摺動方向に対して垂直である。ロッキングブロック１は、２つの異なった動作位置に位置し、且つその間を作動的に移動することができる。第１動作位置では、ロッキングブロック１はブロック溝１５内に保持されないで、歯付き部材３の歯が、歯付きスライド４の歯と噛み合う。第２動作位置では、ロッキングブロック１がブロック溝１５内に保持されて、歯付き部材３の歯が、歯付きスライド４の歯から離脱する。錠ハウジング９内にロッキング溝１７が設けられている。ロッキングブロック１が第１動作位置にあるとき、ロッキングブロック１はロッキング溝内にはまっている。ロッキング溝１７は、ガイド斜面１８を設けている。
【０００７】
図２に示されているように、鍵８を鍵穴１１に挿入するが、回転させないとき、鍵８の歯が歯付きスライド４の接触部材１６を押し、それにより、歯付きスライド４を左へ向けて摺動させる。したがって、歯付きスライド４の歯が歯付き部材３の歯と噛み合っているため、歯付き部材３は左へ向けてに摺動する。これにより、歯付き部材３のロッキング溝１７をロッキングブロック１と位置合わせすることができるが、ロッキングブロック１は依然として第１動作位置にある。
【０００８】
図３に示されているように、鍵８を回転させると、鍵８の回転と同期して錠シリンダ２が回転する。その時、ロッキングブロック１はロッキング溝１７からガイド斜面１８に沿って離れる。錠ハウジング９に押し付けられて、ロッキングブロック１はブロック溝１５に滑り込む。したがって、ロッキングブロック１は第２動作位置に達する。この場合、錠シリンダ２は、錠ハウジング９内で鍵８と共に自由回転可能であり、そのため、開錠できる。また、図１に示されているように、ロッキングブロック１が、摺動ブロック６内に固定されているピン１０を押し付けるので、ロッキングブロック１が下方へ摺動すると、結果的に摺動ブロック６が下方へ摺動し、したがって、ばね７が圧縮される。図３に示されているように、この結果として、摺動ブロック６内に設けられている歯付きスライド４が下方へ摺動し、それにより、歯付きスライド４の歯が歯付き部材３の歯から離脱する。この場合、鍵を交換する必要がなければ、次に鍵８で錠シリンダ２を回転させ、それにより、ロッキングブロック１を錠ハウジング９上のロッキング溝１７と位置合わせさせることによって開錠した後、摺動ブロック６が圧縮ばね７によって押し上げられる。ロッキングブロック１がピン１０によって押されると、ロッキングブロック１は錠ハウジング９のロッキング溝１７にはまる。このため、歯付きスライド４の歯が再び歯付き部材３の歯と噛み合う。鍵８の歯形が歯付きスライド４の接触部材１６の歯形に対して変化していないので、歯付きスライド４の歯と歯付き部材３の歯との噛み合い位置は変更されない。鍵８を取り出した後、再び施錠される。図３に示された場合、鍵を新しいものと交換するためには、鍵を鍵穴１１から取り出して、代わりの新しい鍵を鍵穴１１に挿入することができる。新しい鍵を逆向きに回転させ、それにより、ロッキングブロック１を錠ハウジング９のロッキング溝１７と位置合わせさせ、その後に鍵穴１１から取り出す。新しい鍵の歯形が歯付きスライド４の接触部材１６の歯形に対して変更されているので、歯付きスライド４の歯と歯付き部材３の歯との新しい噛み合い位置が定められる。新しい噛み合い位置には、新しい鍵が有効であり、旧い鍵は無効である。すなわち、旧い鍵が新しい鍵と交換されていることを意味する。次に、再び開錠するためには、新しい鍵が必要である。そうでなければ、ロッキングブロック１が歯付き部材３のブロック溝１５と位置合わせされず、開錠を行うことができない。
【図面の簡単な説明】
【０００９】
【図１】本発明による錠の実施形態の正面断面図である。
【図２】ロッキングブロックが第１動作位置にあるときの、図１のＡ−Ａ線に沿った断面図である。
【図３】ロッキングブロックが第２動作位置にあるときの、図１のＡ−Ａ線に沿った断面図である。
【符号の説明】
【００１０】
１  ロッキングブロック
２  錠シリンダ
３  歯付き部材
４  歯付きスライド
５  圧縮ばね
６  摺動ブロック
７  ばね
８  鍵
９  錠ハウジング
１０  ピン
１１  鍵穴
１２  錠シリンダ用のシェル
１３  圧縮ばね用の内孔
１４  ばね内孔
１５  ブロック溝
１６  接触部材
１７  ロッキング溝
１８  ガイド斜面
【図１】
2007515578.tif 000003
【図２】
2007515578.tif 000004
【図３】
2007515578.tif 000005
【国際調査報告】
2007515578.tif 000006
2007515578.tif 000007
2007515578.tif 000008
2007515578.tif 000009